(57)【要約】      （修正有）【課題】足先を多方向に引き動かすことにより、足腰の筋肉の多くの部分をトレーニングでき、安全性を有する器具を提供する。【解決手段】回転部材には或る長さを有する紐状又は帯状又は管状又は其の他の形状の、柔軟性と伸縮性を有する伸縮部材と、或る長さを有する紐状又は帯状又は其の他の形状の、柔軟性を有する引き張り部材が直接又は間接に取り付けられている。そして、回転部材に取り付けられていない方の伸縮部材は足置き部材に直接又は間接に取り付けられており、回転部材に取り付けられていない方の引き張りの先には足の裏又は甲を掛ける手段を有する足掛け部が形成されている。そして、回転部材には引き張り部材を巻き付ける為の、巻き付け面が連続暦又は断続的に管状又は環の或る部分を成して形成されている。そして更に、概回転部材又は足置き部材には伸縮部材を巻き付ける為の、巻き付け面が連続的に又は断続的に環状又は環状の或る部分を成す。【選択図】図１
2010022781.tif 000002
【特許請求の範囲】
【請求項１】
上面に足を乗せる足置き部を有する足置き部材の任意の箇所に、回転機能を有する回転部材を取り付ける。回転部材には或る長さを有する紐状又は帯状又は管状又は其の他の形状の、柔軟性と伸縮性を有する伸縮部材と、或る長さを有する紐状又は帯状又は鎖状又は管状又は其の他の形状の、柔軟性を有する引き張り部材が直接又は間接に取り付けられている。そして、回転部材に取り付けられていない方の伸縮部材は足置き部材に直接又は間接に取り付けられており、回転部材に取り付けられていない方の引き張り部材の先には足の裏又は甲を掛ける手段を有する足掛け部が形成されている。そして、回転部材には引き張り部材を巻き付ける為の、巻き付け面が連続的又は断続的に環状又は環の有る部分を成して形成されている。そして更に、該回転部材又は足置き部材には伸縮部材を巻き付ける為の、巻き付け面が連続的又は断続的に環状又は環状の或る部分を成して形成されていることを特徴とする筋肉トレーニング器。
【請求項２】
足置き部材において、回転部材から足掛け部の間には引き張り部材を宛がう面を有し、引き張る方向を変換する際に支点となる、方向変換部が形成されていることを特徴とする請求項１に記載の筋肉トレーニング器。
【請求項３】
方向変換部を足置き部材に孔部を設けて形成したことを特徴とする請求項２に記載の筋肉トレーニング器。
【請求項４】
足置き部材又は引き張り部材を取り付けた回転部材に更なる回転部材を取り付け、其の外側面を伸縮部材の巻き付け面としたことを特徴とする請求項１〜３のいずれかに記載の筋肉トレーニング器。
【請求項５】
回転部材が、軸部材の外側を囲み、其の内側面が軸部材の外側周囲を擦って動く構造であることを特徴とする請求項１〜４のいずれかに記載の筋肉トレーニング器。
【請求項６】
引き張り部材を巻き付ける面の巻き付ける方向と伸縮部材の巻き付け面の巻き付ける方向で成す角度が平面上で３０度以下であることを特徴とする請求項１〜５いずれかに記載の筋肉トレーニング器。
【請求項７】
少なくとも伸縮部材及び引き張り部材及び回転部材及び伸縮部材の巻き付け面を足置き部材の裏側に配置し、引き張り部材を足置き部材の表側に引き出し、その先に足掛け部を形成したことを特徴とする請求項１〜６のいずれかに記載の筋肉トレーニング器。
【請求項８】
足置き部材において、伸縮部材を宛がう面を有し、伸縮部材の伸縮方向を変換させる方向変換部を形成したこと特徴とする請求項１〜７のいずれかに記載の筋肉トレーニング器。
【請求項９】
方向変換部を回転部材で形成したことを特徴とする請求項１〜８のいずれかに記載の筋肉トレーニング器。
【請求項１０】
足掛け部において、その先端部に湾曲面を形成し、足の裏又は甲を掛ける手段としたことを特徴とする請求項１〜９のいずれかに記載の筋肉トレーニング器。
【請求項１１】
足掛け部において、その先端部の少なくとも一部に幅が３０ｍｍ以上の帯状の面を形成し、足の裏又は甲を掛ける手段としたことを特徴とする請求項１〜１０のいずれかに記載の筋肉トレーニング器。
【請求項１２】
或る長さを有する紐状又は帯状又は管状又は鎖状又は其の他の形状の柔軟性と伸縮性を有する、更なる伸縮部材を足置き部材に直接又は間接に取り付け、該伸縮部材に或る長さを有し、且つ柔軟性を有する筒状又は袋状のカバーを取り付けたことを特徴とする請求項１〜１１のいずれかに記載の筋肉トレーニング器。
【請求項１３】
伸縮部材を環状にして、端部を足置き部材に直接又は間接に固定したことを特徴とする請求項１２に記載の筋肉トレーニング器。
【請求項１４】
伸縮部材をゴム材で形成したことを特徴とする請求項１〜１３のいずれかに記載の筋肉トレーニング器。
【発明の詳細な説明】
【技術分野】
【０００１】  本発明は足腰の筋肉を鍛えるための筋肉トレーニング器に関する。
【背景技術】
【０００２】従来、足腰の筋肉を鍛え腹回りの贅肉を取り、スリムになる為の器具は色々提供されている。其の中にはツイスト運動を伴う足踏み運動器具や室内で使用する自転車のペダル漕ぎや椅子状のものに座りそれを機械で揺り動かす器具等があるが、それらの器具は運動の範囲が限定されるものが多く、効果を十分に発揮できるものはなかった。又、ゴム紐状の部材の先端部に取っ手を取り付け、それを手で引き張るものや、本発明者が出願した特願２００５−２５７０２１で示す様な、ゴム紐状の部材の先端に足を掛ける足掛け部を形成し、それを足で引き張る器具も公知であるが、ゴム紐状の部材を使用すると。ゴム紐状の部材が切れた際に、その跳ね返りが使用者又は周囲に当たる恐れがあり安全性に問題があった。
【発明が解決しようとする課題】
【０００３】  本発明においては従来の器具に比べて、筋肉の運動範囲を広げ、且つ安全性を有して使用できることを課題とする。
【課題を解決するための手段】
【０００４】  上記課題を解決する為に、本発明は次ぎの如き筋肉トレーニング器を提供する。
１、上面に足を乗せる足置き部を有する足置き部材の任意の箇所に、回転機能を有する回転部材を取り付ける。該回転部材には或る長さを有する紐状又は帯状又は管状又は其の他の形状の、柔軟性と伸縮性を有する伸縮部材と、或る長さを有する紐状又は帯状又は管状又は鎖状又は其の他の形状の、柔軟性を有する引き張り部材が直接又は間接に取り付けられている。そして、回転部材に取り付けられていない方の伸縮部材は足置き部材に直接又は間接に取り付けられており、回転部材に取り付けられていない方の引き張り部材の先には足の裏又は甲を掛ける手段を有する、足掛け部が形成されている。そして、回転部材には引き張り部材を巻き付ける為の、巻き付け面が連続的又は断続的に環状又は環の或る部分を成して形成されている。そして更に、該回転部材又は足置き部材には伸縮部材を巻き付ける為の、巻き付け面が連続的又は断続的に環状又は環の或る部分を成して形成されていることを特徴とする筋肉トレーニング器。
２、足置き部材において、回転部材から足掛け部の間には引き張り部材を宛がう面を有し、引き張る方向を変換する際に支点となる、方向変換部が形成されていることを特徴とする上記第１項に記載の筋肉トレーニング器。
３、方向変換部を足置き部材に孔部を形成したことを特徴とする上記第２項に記載の筋肉トレーニング器。
４、足置き部材又は引き張り部材を取り付けた回転部材に更なる回転部材を取り付け、其の外側面を伸縮部材の巻き付け面としたことを特徴とする上記第１〜３項に記載の筋肉トレーニング器。
５、回転部材が、軸部材の外側を囲み、其の内側面が軸部材の外側周囲を擦って動く構造であることを特徴とする上記第１〜４項のいずれかに記載の筋肉トレーニング器。
６、引き張り部材を巻き付ける面の巻き付ける方向と伸縮部材の巻き付け面の巻き付ける方向で成す角度が平面上で３０度以下であることを特徴とする上記第１〜５項のいずれかに記載の筋肉トレーニング器。
７、少なくとも伸縮部材及び引き張り部材及び回転部材及び伸縮部材の巻き付け面を足置き部材の裏側に配置し、引き張り部材を足置き部材の表側に引き出し、その先に足掛け部を形成したことを特徴とする上記第１〜６項のいずれかに記載の筋肉トレーニング器。
８、足置き部材において伸縮部材を宛がう面を有し、伸縮部材の伸縮方向を変換する支点となる方向変換部を形成したことを特徴とする上記第１〜７項のいずれかに記載の筋肉トレーニング器。
９、方向変換部を回転部材で形成したことを特徴とする上記第１〜８項に記載の筋肉トレーニング器。
１０、足掛け部において、その先端部に湾曲面を形成して、足の裏又は甲を掛ける手段としたことを特徴とする上記第１〜９項のいずれかに記載の筋肉トレーニング器。
１１、足掛け部において、その先端部の少なくとも一部に幅が３０ｍｍ以上の帯状の面を形成し、足の裏又は甲を掛ける手段としたことを特徴とする上記第１〜１０項のいずれかに記載の筋肉トレーニング器。
１２、或る長さを有する紐状又は帯状又は管状又は鎖状又は其の他の形状の柔軟性と伸縮性を有する、更なる伸縮部材を足置き部材に直接又は間接に取り付け、該伸縮部材に或る長さを有し、且つ柔軟性を有する筒状又は袋状のカバーを取り付けたことを特徴とする上記第１〜１１項のいずれかに記載の筋肉トレーニング器。
１３、伸縮部材を環状にして、端部を足置き部材に直接又は間接に固定したことを特徴とする上記第１２項に記載の筋肉とレーニング器。
１４、伸縮部材をゴム材で形成したことを特徴とする上記第１〜１３項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものではない。
【０００６】  図１は本発明の一態様に係る筋肉トレーニング器の形態を示す斜視図（ａ）と構造を示す平面図（ｂ）と断面図（ｃ）である。図１に示す筋肉トレーニング器は上面に足を乗せる足置き部２を有し、他の構成部材を取り付ける台座となる足置き部材１の上面に回転部材３が回転軸４を有して取り付けられている。そして、回転部材３にはある長さを有する紐状の柔軟性と伸縮性を有する伸縮部材５と或る長さを有する紐状の柔軟性を有する引き張り部材６が取り付けられている。伸縮部材５の他片側は足置き部材１に取り付けられており、引き張り部材６の他片側には足を掛けて引き張る為の足掛け部７が形成されている。更に回転部材３には其の周囲に引き張り部材６を巻き付ける為の引き張り部材の巻き付け面８（以下において巻き付け面８とだけ記する場合がある）が形成されており、更に回転部材３には伸縮部材５を巻き付ける為の伸縮部材の巻き付け面９が（以下において巻き付け面９とだけ記する場合がある）回転軸４の方向に或る間隔をずらして形成されている。そして足置き部材１には引き張り部材６の伸縮方向を変換する際に支点となる方向変換部１０が足掛け部７の手前に形成してある。以上が本発明の筋肉トレーニング器の構造である。
【０００７】  これを使用するには、回転部材３に取り付けた伸縮部材５を足置き部材１との間で適度に軽く引き張っておき、其の状態で引き張り部材６を巻き付け面８に、伸縮部材５を引き張る方向に巻き付け、足掛け部７を足置き部材１に近づける。図１（ａ）では引き張り部材６は回転部材３の周囲に弛んで置かれた形で示されているが、これは引き張リ部材６を明記する為であり、実際は図（ｂ）で示す様に、回転部材３の周囲に巻き付けられるものである。この状態で足置き部材１の上部面の足置き部２に足を乗せ、足掛け部７に足を掛け任意の方向に引き張る。引き張る際、方向変換部１０が支点となって回転部材３が回転し、伸縮部材５を引き伸ばす。引き伸ばされた伸縮部材５は伸縮部材の巻き付け面９に巻き付けられる。伸縮部材５が巻き付けられる際に張力が生じ、引き張る力と成る訳である。図１では方向変換部１０が形成された図となっている。方向変換部１０が無くても基本的には引き張ることは可能であるが、方向変換部１０を形成することにより運動範囲を広げることができるのである。この器具を使用することで、従来の器具ではできなかった足腰の色々な部分のトレーニングを可能とするものである。引き伸ばす距離は引き張リ部材６の巻き付けた長さと伸縮部材５の長さと伸び率と足の力によって決定される。使用上の長さに就いては経験的に決定されて良い。又、伸縮部材５が足置き部材１の内側に配置されているので、伸縮部材５が切れた際の跳ね返りの範囲が、特願２００５−２５７０２１の引き張り部材６を引き伸ばす方法に比較して、より小さくなり、安全な器具として使用することができる。実施上、足置き部材１の裏側に伸縮部材５を配置すればより安全なものとなるが、これに係る態様は後記する。
【０００８】  次ぎに各部分の詳細に就いて説明する。図１において、足置き部材１は少なくとも、足を乗せる足置き部２及び回転部材３及び伸縮部材５及び方向変換部１０を取り付けるための台座となるものである。図１においては板状部材で形成されているが、その他の形状でも構わない。又、大きさに就いては、図１に示す様に少なくとも足を乗せる足置き部２と回転部材３と伸縮部材５と引き張り部材６と方向変換部１０が配置、形成できるものであれば良い。形状及び材質及び寸法は任意であるが、実施上、材質は軽金属又はプラスチック又は硬質のゴム材などが好ましい。又、複数の材質を複合させたものでも良い。寸法に就いては、実施上、縦が３０ｃｍ以上で横が２０ｃｍ以上、高さは１０ｃｍ以下程度が好ましい。又、折り畳みができる構造又は分割できる構造でも良い。
【０００９】  次ぎに足置き部２であるが、足置き部材１の上において、足を乗せ、且つ本筋肉トレーニング器を使用する広さを有する部分はどこでも足置き部２と見なすことができる。図１では本筋肉トレーニング器を使用した際の一例を示しているが、限定する必要はない。広さは任意であり、複数箇所でも良い。実施上は、足置き部２は縦横１０ｃｍ以上の広さを有していることが好ましい。１０ｃｍとは足の幅のおおよその寸法であり、乗って運動するには少なくともこれ以上の広さを有していることが好ましい。材質も任意であるが、実施上は足置き部材１と同じで良い。又、表面に滑り止めの細かい凹凸や指圧用の突起を形成しても良い。
【００１０】  次ぎに回転部材３に就いて説明すれば、回転部材３は足置き部材１に軸部材１４を介して取り付けられる。軸部材１４又は軸受け部材（軸部材１４と接している部分のため図示してはいない）は足置き部材１又は回転部材３のどちらに形成されていても構わない。図１においては図（ｃ）に示す様に、回転軸４を形成する軸部材１４は足置き部材１から伸長させた構造となっている。又、他部材を軸部材１４として、足置き部材及び回転部材３に軸受け部を形成しても構わない。軸部材１４と軸受け部材との取り合いは任意である。又、図１の回転部材３は円盤の形をした板状の部材で形成されているが、円形である必要はなく、回転軸４の周囲に或る広さを有した部材であれば良い。但し、実施上は円形が好ましい。又、回転軸４は偏心していても構わない。大きさに就いては経験的に決定されて良いが、実施上は差し渡しが１５〜３０ｃｍ程度が好ましい。又、材質も任意である。実施上、回転部材３はプラスチック又は金属等の硬質の部材で形成することが好ましい。軸受け部材は金属製のベアリングを使用しても良いし、又は摩擦係数の小さなフッ素樹脂等の部材を軸部又は／及び軸受け部のどちらかに取り付けて擦り合わせる構造でも良い。又、図１では回転部材３は其の外側周囲に引き張り部材６の巻き付け面８を形成している。実施上、巻き付け面８の幅は１０ｍｍから２０ｍｍ程度を有することが好ましい。又、図１では回転部材３の縁部分には引き張り部材の巻き付け面８から内側に少し間隔を有して伸縮部材の巻き付け面９が形成されている。巻き付け面８と巻き付け面９に就いては後記で説明する。
【００１１】  次ぎに引き張り部材６と巻き付け面８について説明する。回転部材３の外側面に、或る長さを有する紐状で且つ柔軟性を有する引き張り部材６が取り付けてある。取り付け面は回転部材３の外側周囲を環状に伸長して形成されており、其の面に引き張り部材６が巻き付けられる巻き付け面８が形成されている。この面に引き張り部材６を巻き付け、足置き部材１に形成した方向変換部１０を支点としてその先に形成された足掛け部７に足を掛けて引くことに依り、回転部材３に回転運動を生じさせることができ、そのことに依り伸縮部材５を引き張り、張力を生じさせることができるのである。図１では巻き付け面８は回転部材３の外側に円形に形成された形態を示しているが、円形である必要はなく、外形が環状の場合、多角形や楕円形でも良い。又、引き張り部材の長さが短い場合には、環の或る部分を有していれば巻き付ける長さが足りる為、環の一部分であっても構わない。実施上引き張り部材６の長さは１ｍから２ｍ程度で太さは５ｍｍ程度あれば良い。又、複数本を取り付けても良い。又、引き張り部材６の回転部材３への取り付け箇所は任意であり、巻き付け面８に巻き付けることができれば良い。又、巻き付け面８の表面は平坦である必要は無く、実施上、引き張リ部材６がずれないように断面の中央を凹形にすると良い。
【００１２】  次ぎ伸縮部材５と伸縮部材の巻き付け面９に就いて説明すれば、伸縮部材５は本筋肉トレーニング器の足掛け部７を引き動かした際、其の張力を生み出す部材である。図１において伸縮部材５は回転部材３の縁の部分に片側を取り付け、他片側を足置き部材１に取り付けた形態で示されている。図１では或る長さを有する紐状の部材で示されているが、紐状の他に帯状又は管状又は鎖状などの形状で柔軟性と伸縮性を有する部材が選択できる。実施上はチューブ状のゴム材などが好ましい。長さ及び太さに就いては実施上、長さ５０ｃｍから１ｍ程度で太さ１０ｍｍ以下程度が好ましい。図１では回転部材３から足置き部材１まで直線的に配置しているが、伸縮部材５の途中に方向変換部１０を形成し、それに宛がい、途中を曲げて配置しても良い。又、ゴムの伸び率は伸びていない時の長さを１とすると、伸びた際に２程度になることが好ましい。次ぎに巻き付け面９に就いて説明すれば、巻き付け面９は回転部材３が回転した際に引き伸ばされた伸縮部材５を巻き付ける部分である。図１では回転部材３の縁から回転軸４の方向に少し距離を置いた所に環状に形成されている。外形が環状の場合、実施上は円形が好ましいが、特に円形である必要は無い。又、伸縮部材５の巻き付ける長さに依って、巻き付け面９の長さが決まるので、環状で無くてはならない必要も無く、環の或る部分を形成するものでも良い。又、巻き付け面９は環の外側を向いていることが好ましい。又、巻き付け面９は滑りを有する方が伸縮部材５の伸びを促進できるので、表面に摩擦係数の小さなフッ素樹脂でできた板材等を取り付けても良い。又、回転部材３における伸縮部材５と巻き付け面９との位置関係は、実施上は巻き付け面９の上側に取り付け部分が位置することが好ましい。又、巻き付け面９の回転部材３への取り付け箇所は任意であり、軸部又は軸受け部から部材を伸長させて形成しても良い。又、回転部材３に他の部材を介して形成されていても良い。その場合、巻き付け面９が回転部材３に繋属していれば回転部材３に形成されたものと見なすことができる。本実施態様では巻き付け面９は回転部材３に形成されているが、足置き部材１に形成することもできる。この態様に就いては後記する。
【００１３】  又、上記引き張り部材の巻き付け面８と伸縮部材の巻き付け面９の位置関係に就いて説明すると、図１においては巻き付け面８と巻き付け面９とは互いを区分するために段差を付けた形態としているが、実施上、二つが同一平面を成していても構わない。但し、相互に巻き付けが交叉しない様に、その間に何らかの区分をすることがより好ましい。更に、巻き付け面８と巻き付け面９とは巻き付け方向を平行にして形成されることが好ましい。然し、或る角度１７を有していても巻き付けることができれば良い。実施上、その交叉角度１７は３０度以内が好ましい。又、二つの巻き取り面の間隔は任意である。この点に就いては図２の平面図で示す。
【００１４】  次ぎに方向変換部１０であるが図１ではＵ字形の部材を足置き部材１に取り付けて、これに引き張リ部材６を通した形態を示している。使用する際、この方向変換部１０の面に引き張り部材６を宛がい、方向変換をする際の支点として使用することで、この箇所を運動の基点とすることができ、無い場合に比べ安定した引き張り運動をすることができる。又、方向変換部１０は方向を変換する機能を有するため、或る方向だけに対し方向を変換できるものでも方向変換部と見なすことができる。図１においてはＵ字形の部材を足置き部材１の上面に取り付けた形態であるが、これは足置き部材１に孔部１１を形成したものとも云うことができる。孔部１１は足置き部材１自体に孔を形成しても良いし、別部材で形成されても良い。方向変換部１０の種々の実施態様に就いては図３で下記に示すが、例えば棒状の形態等がある。棒状の形態でも其の側面に引き張り部材６を宛がい引き張ることで引き張る方向を変換できるからである。足置き部材１に形成され、引き張り部材６を宛がって方向を変換できる面を有するものは全て方向変換部１０と見なすことができるが、実施上は環状の形態を有する、孔などが好ましい。孔を通した場合には３６０度の方向変換が可能になるからである。又、方向変換部１０を回転部材で形成しても良い。
【００１５】  次ぎに足掛け部７に就いて説明する。本態様では引き張り部材６の先に足の裏又は甲を掛ける手段を有する足掛け部７を形成することを要件としている。図１では該足掛け部７は環状で且つ帯状の部材で形成されている。この態様では足掛け部７を環状で且つ帯状に形成することで足を掛ける手段としている。この中に足先を入れて、環の先端部（本発明では先端部を、足掛け部においてその最先端部から左右其々７５ｍｍの範囲とする）の湾曲面に足の裏又は甲に掛け、任意の方向に引き張ることで筋肉トレーニングをすることができる。実施上、環の大きさは差し渡しが少なくとも１０ｃｍ以上で、少なくとも先端部に３０ｍｍ以上の幅の帯状の面を有していることが好ましい。この場合、３０ｍｍ以上の部分の長さは任意であるが実施上１００ｍｍ程度を有することが好ましい。ここで云う幅とは足掛け部材７に足先を入れる方向の長さを云う。幅が狭いと、引き張った際の張力を、足の先で部分的に受けざるを得ず、掛けた部分を圧迫する不具合が生じるからである。幅を広くすれば、圧力を分散できるので好ましい。又、材質は柔軟性を有するものが好ましい。又、足掛け部７は引き張り部材６から取り外せる構造であっても良い。又、足掛け部７は引き張リ部材６に直接に取り付けられていても良いし、他の部材、例えば環状のリングなどのジョイント部材等を介して取り付けられていても良い。
【００１６】  図３は本発明に係る筋肉トレーニング器の方向変換部１０に関し、図１以外の実施態様の形態を部分的に示す斜視図（ａ）と（ｂ）と（ｃ）と（ｄ）と（ｅ）である。図３（ａ）は方向変換部１０を棒状の部材で形成したものである。図（ｂ）は棒状部材を湾曲させて形成したものである。図（ｃ）は部材に孔を開けて孔部１１に形成したものである。図（ｄ）は部材の端部を切り欠いて切り欠き部１２に形成したものである。これらの形態において、棒状部材の側面又は孔部１１の内側面又は切り欠き部１２の内側面が方向変換部１０となり、引き張り部材６を棒状部材又は孔部１１または切り欠き部１２の面に宛がうことにより方向を変換するものである。又、図（ｅ）で示す様に方向変換部１０を回転部材で形成しても良い。図（ｅ）は棒状の部材の外側に筒状の回転する部材を差し込んだ図である。この様にすると方向変換の際、引き張りが容易になる。更には、棒状の回転部材を交叉させても良い。
【００１７】  図４は本発明に係る筋肉トレーニング器の別の態様の構造を示す平面図（ａ）と断面図（ｂ）である。図４に示す筋肉トレーニング器は伸縮部材５を巻き付ける為の、巻き付け面９を足置き部材１に形成した構造を示す。図４では回転部材３が上側に配置されており、回転部材３の左下側に伸縮部材取り付け部１３が形成されている。そして回転部材３の下側の足置き部材には伸縮部材５を巻き付ける、巻き付け面９が形成されている。この様に形成しても、回転部材３を回転させて伸縮部材５を引き張った際、前記で説明した回転部材３に形成した場合と同様に、伸縮部材５を巻き付けることができる。但しこの場合、伸縮部材５との間の摩擦を減じる為に、表面に摩擦係数の小さなフッ素樹脂の板材を取り付けると良い。又、足置き部材１に他の部材を介して形成されていても、巻き付け面９が足置き部材１に繋属し固定されていれば、巻き付け面９は足置き部材１に形成されたものと見なすことができる。
【００１８】  図５は本発明に係る筋肉トレーニング器の別の態様の構造の一部分を示す平面図（ａ）及び（ｃ）と（ｃ′）及び（ｄ）と（ｄ′）及び（ｆ）と断面図（ｂ）と（ｇ）及び側面図（ｅ）である。図５（ａ）に示す筋肉トレーニング器は足置き部材１に軸部材１４を形成し、該軸部材１４に２つの回転部材を上下に重ねて取り付け、下側の回転部材３に伸縮部材５と引き張り部材６を取り付け、下側の回転部材３の外周面を引き張り部材の巻き付け面８とし、上側の回転部材１８の外周面を伸縮部材の巻き付け面９とした図である。その断面を図（ｂ）で示す。図（ａ）と（ｂ）で示す様に、巻き付け面９を回転部材１８にすることで、伸縮部材取り付け部１３が伸縮部材５を伸ばす方向に回転した際、巻き付け面９が伸縮部材取り付け部１３の回転とは動きを別にすることで伸縮部材５をスムーズに引き伸ばすことができるのである。この点に就き、図（ｃ）と（ｃ′）及び（ｄ）と（ｄ′）及び（ｅ）で説明する。図（ｅ）はこの態様における巻き付け面８と巻き付け面９と伸縮部材取り付け部１３の位置関係を側面図で示したものである。図（ｅ）では巻き付け面９の上側に伸縮部材取り付け部１３が形成されている。この関係を前提として、図（ｃ）は回転部材が１つの部材で形成されている場合の、巻き付ける以前の伸縮部材取り付け部１３と巻き付け面９上の任意の箇所一点１９の位置関係を示している。この状態では伸縮部材取り付け部１３と回転部材の巻き付け面９の上の任意の箇所一点１９は二つの円周上に並んだ状態になっている。この状態から巻き付けが生じると（ｃ′）の状態となる。図（ｃ′）において判る様に、伸縮部材取り付け部１３と任意の箇所一点１９の位置関係は図（ｃ）と変わっていない。これは伸縮部材取り付け部１３と任意の箇所一点１９が同一部材であるからである。この構造では縮部材５は巻かれる際、先ず伸縮部材取り付け部１３の下部を頭として巻かれ始め、巻かれるに従って次第に強い張力で其の後方の伸縮部材５が順に引き伸ばされて行くことになり、巻き始めの際の張力の弱い部分で巻かれた伸縮部材５は、巻き付けて張力が強くなるに従い、後方へ引かれて戻り、張力の全体バランスが取られることになるのである。然し乍ら、伸縮部材５を生ゴムなどの摩擦係数の大きな部材で形成した場合、戻りが阻害され、均一に伸びることができない不具合が生じるのである。これに対して図（ｄ）と（ｄ′）では二つの回転部材、即ち回転部材３と回転部材１８の内、回転部材３に伸縮部材５を取り付け、回転部材３を回転部材１８の巻き付け面９に沿わせて回転させる構造となっている。図（ｄ）は巻き付ける以前の状態である。図（ｃ）と外観は同じであるが、軸部材１４を回転部材３と回転部材１９が共に使用していて、其々が個別に回転する構造となっている。巻き付きが生じると図（ｄ′）の状態になるのである。図（ｄ′）では伸縮部材取り付け部１３と任意の箇所一点１９の位置にズレが生している。この図は、回転部材１８は回転部材３と同じ動きではなく、それ自体で伸縮部材全体の張力のバランスを取る様に自在に回転することを示すものである。そのことに依り、前記に比べてよりスムーズな引き伸ばしが可能となるのである。本態様では���の作用を利用するものである。又、巻き付け面９における伸縮部材５と巻き付け面９との摩擦を減じると更にスムーズな引き伸ばしが可能となるので、実施上、巻き付け面９即ち回転部材１８を摩擦係数の小さなフッ素樹脂等で形成すると良い。又、図５（ｂ）では回転部材３と回転部材１８が同一の軸部材１４を有した形態で示している。この図では、回転部材１８は軸部材１４が足置き部材１から伸長している構造であるので、この場合、回転部材１８は足置き部材１に形成されたものとする。軸部材１４が回転部材３に有る場合は回転部材３に形成されたものとする。又、回転部材１８が軸部材１４を有する場合は軸受け部材との関係において、どこに形成されたかを区分できる。軸受け部材が足置き部材１に有る場合は、足置き部材１に形成されたものであり、回転部材３に有る場合は回転部材３に形成されたものである。又、回転軸４が同じである必要は無く、図（ｆ）と（ｇ）で示す様に回転部材１８を回転部材３に回転軸４をずらして取り付けられていても同様の効果は得られる。図（ｆ）の場合は図（ｇ）で判る様に、回転部材１８の軸部材１４が回転部材３から伸長しているので、回転部材１８は回転部材３に取り付けられていると云うことになる。又、回転部材１８が他の部材を介して回転部材３に形成されている場合、それが二者間だけに形成された軸部材１４での繋属であれば回転部材１８は回転部材３に形成されたものと見なすことができる。但し、実施上、構造的には回転軸１４は一箇所であることが簡単なので好ましい。軸部材１４の太さも同一である必要は無い。又、偏心していても良い。又、軸受け部にベアリングを使用しても良いし、軸部材及び／又は軸受け部材を摩擦係数の小さなフッ素樹脂などの部材で形成し擦り合わせても良い。又、巻き付け面９に伸縮部材５が外れない様に側板を形成しても良い。又、図５において伸縮部材５は伸縮部材取り付け部１３から足置き部材１に真っ直ぐに伸長して取り付けられているが、実施上は、伸縮部材の巻き付け面９に必要な回数を巻き付けてから足置き部材１に取り付けても良い。この様にすると、伸縮部材５長さを調節できるので、張力を調節することができる。
【００１９】  図６は本発明に係る筋肉トレーニング機の別の態様の構造の一部分を示す平面図である。図６に示す筋肉トレーニング器は伸縮部材５の巻き付け面９を、複数の回転部材１８を伸縮部材５を巻き付ける方向に配置して形成した形態を示す図である。この様にしても段落（００１８）で説明した、更なる回転部材１８を形成したことと同じ効果を得ることができる。実施上。回転部材１８を図６で示す様に環状に三箇所以上形成すると良い。
【００２０】  図７は本発明に係る筋肉トレーニング器の別の態様の構造の一部分を示す平面図（ａ）と（ｃ）と（ｄ）と側面図（ｂ）である。図８は回転部材１８を図５及び図６で示す形態より厚みを薄くして軸部材１４の外側を囲み、其の内側面が軸部材１４の外側面を擦って動く構造であることを示す。図７（ａ）は回転部材３から成る軸部材１４の外側に或る幅と厚みを有する回転部材１８を被せ軸部材１４と回転部材１８の内側面（点線部分）を、面で擦り合わせて回転させるものである。図（ｂ）はその側面図である。この様にしても回転部材１８は段落（００１８）と（００１９）で述べた回転部材１８と同じ効果を生じさせることができる。この場合、軸部材１４及び／又は回転部材１８を摩擦係数の小さなフッ素樹脂などで形成すると良い。又、軸部材１４と回転部材１８との間に環嬢のフッ素樹脂などを挟んでも良い。この場合、実施上、回転部材１８の幅及び厚さは任意であり、経験的に決定されて良い。図（ａ）では軸部材１４の面が円形の形態であるが、これを図（ｃ）で示す様に、少し楕円のような形状にして、回転部材１８を、柔軟性を有する環状の部材で形成しても良い。回転部材１８が回ることができれば、効果は上記と同じである。この場合、実施上、回転部材１８の内側に、柔軟性を有する薄い環状のフッ素樹脂を重ねて挟んでも良い。図（ｄ）は軸部材１４を囲んで硬質で円形の一部が欠けた形状の回転部材１８を取り付けた図である。この形態においても軸部材１４と回転部材１８の内側面が擦って動く構造となっている。回転部材３が硬質の部材で形成されていれば、この構造でも同じ効果を得ることができる。
【００２１】  図８は本発明に係る筋肉トレーニング器の別の態様の構造を示す平面図（ａ）と断面図（ｂ）である。図（ａ）は本筋肉トレーニング器の裏面を示す平面図である。図８に示す筋肉トレーニング器は足置き部材１に脚１５を付け、裏側に伸縮部材５及び引き張り部材６及び回転部材３及び回転部材１９を配置し、引き張り部材６を足置き部材１に形成した孔部１１から外側に引き出し、その先に足掛け部７を形成した図である。図８においては、回転部材３には引き張り部材の巻き取り面８と伸縮部材の巻き取り面９は回転部材３と回転部材１８で形成されている。勿論、別の態様として、二つの面を一つの回転部材３で成すこともできる。又、本態様において孔部１１の縁の面は方向変換部１０として機能するものである。孔部１１の形成位置及び形状は任意である。この様にすると、足置き部材１の上面を広く使えることと、伸縮部材５を足置き部材１の裏側に配置することで、伸縮部材５が切れた際に、足及び周囲への跳ね返りを防ぐことができ安全性を増すことができる。又、本態様において、裏側とは裏面だけを示すものではなく、足置き部材１の裏面から下側に位置する部分を含むものである。
【００２２】  又、図８に示す様に足置き部材１に伸縮部材５を宛がう面を有し、伸縮部材５の伸縮方向を変換させる方向変換部１０を形成しても良い。図８において方向向変換部１０は段落００１６でせつめいした、回転部材を取り付けた形態となっている。これを形成することにより、伸縮部材５を図８で示す如く、足置き部材１の中で曲げて配置できるので、長い伸縮部材５も方向変換部１０を複数使用することで、足置き部材１の長さを短く形成することができる。方向変換部１０は伸縮部材５を宛がう面を有していれば形状は任意であり、前記の回転部材でなくても良い。棒状の部材を使用しても良い。その場合、表面を摩擦係数の小さなフッ素樹脂等で形成すると良い。棒状の部材に環状のフッ素樹脂を被せ回転できるようにし、回転部材としても良いし、ベアリングを取り付けても良い。
【００２３】  図９は本発明に係る筋肉トレーニング器の別の態様の形態の一部分を示す立面図（ａ）と（ｂ）と（ｃ）である。図９は本筋肉トレーニング器に手で引くトレーニングを付加する為に更なる伸縮部材を取り付けたものである。図（ａ）に示す筋肉トレーニング器は足置き部材１に或る長さを有する紐状の柔軟性と伸縮性を有する伸縮部材５を環状に取り付け、その外側に柔軟性を有する筒状のカバー１６を取り付け，上方に引き上げた形態を示す図である。図（ａ）では伸縮部材５の端部の二箇所を足置き部材１に取り付け、環状に形成し、それにカバー１６を取り付けた形態となっている。この様にすると、伸縮部材５が一本切れた際に、切れた伸縮部材５に対してもう一本の伸縮部材５がカバー１６の保持部材となり、切れた伸縮部材５の跳ね返りを防ぐことができ、切れた伸縮部材５が手や周囲のものに当たる危険性を減じることができるのである。又、図（ａ）では伸縮部材５の上部は一本の伸縮部材５にカバー１６が取り付けてあり、その下側になると二本の伸縮部材５を纏めてカバー１６をした形態となっている。この様にすることで上部を把持し易くするものである。又、これに対し、図（ｂ）で示す様に、伸縮部材５の片側だけを足置き部材１に固定しても良い。伸縮部材５の端部が一箇所だけ取り付けられている場合、概伸縮部材５が切れた際にはカバー１６も共に跳ね返るので、それを防ぐ為には伸縮部材５の他に保持部材が必要となる。その方法として図（ｂ）で示す様に、カバー１６を蛇腹状又は太い袋状に形成し、その端を足置き部材１に取り付けると良い。この場合はカバー１６の底部は足置き部材１に取り付けられる。この様にすると、カバー１６が伸縮できるので、カバー１６の内側で伸縮部材５が伸縮し、切れた際はカバー１６の内側が跳ね返りを押さえ防ぐことができるのである。又、図（ｃ）で示す様に、カバー１６の端部と足置き部材１を有る長さを有する紐２０又は帯で接続しても良い。この場合、紐２０の長さは伸縮部材５の伸縮の長さに対応して決定されて良い。この様にすると使用している際にカバー１６の端部が上に上がることを防ぐことができる。紐２０で接続する場合は、伸縮部材５が一本の場合にも適用できる。伸縮部材５の形状は任意であり、紐状又は帯状又は管状など色々選択できる。又、カバー１６の中に入る本数も任意である。又、カバー１６は筒状でも袋状でもどちらでも構わない。太さ及び長さに関しては経験的に決定されて良い。
【００２４】  上記において、本発明の筋肉トレーニング器の各部の好ましい形状及び寸法及び材質に就いて説明したが、上記説明に限定されること無く、形状、寸法、材質は適宜経験的に決定できる。
【発明の効果】
【００２５】  本発明の筋肉トレーニング器によれば足腰の筋肉を、多方向に引き張る運動ができるので、足腰の贅肉を取り筋肉の強化に効果を生じさせることができ、又、安全に使用することができる。
【図面の簡単な説明】
【図１】  本発明の一態様に係る筋肉トレーニング器の形態を示す斜視図（ａ）と構造を示す平面図（ｂ）と断面図（ｃ）である。
【図２】  本発明の一態様に係る筋肉トレーニング器の構造の一部分を示す平面図である。
【図３】  本発明の一態様に係る筋肉トレーニング器の形態の一部分を示す斜視図（ａ）と（ｂ）と（ｃ）と（ｄ）と（ｅ）である。
【図４】  本発明の一態様に係る筋肉トレーニング器の構造の一部分を示す平面図（ａ）と断面図（ｂ）である。
【図５】  本発明の一態様に係る筋肉トレーニング器の構造の一部分を示す平面図（ａ）と（ｃ）と（Ｃ′）と（ｄ）と（ｄ′）と（ｆ）と断面図（ｂ）と（ｇ）と側面図（ｅ）である。
【図６】  本発明の一態様に係る筋肉トレーニング器の構造の一部分を示す平面図である。
【図７】  本発明の一態様に係る筋肉トレーニング器の構造の一部分を示す平面図（ａ）と（ｃ）と（ｄ）と側面図（ｂ）である。
【図８】  本発明の一態様に係る筋肉トレーニング器の構造を示す平面図（ａ）と断面図（ｂ）である。
【図９】  本発明の一態様に係る筋肉トレーニング器の構造の一部分を示す立面図（ａ）と（ｂ）と（ｃ）である。
【符号の説明】
１、足置き部材
２、足置き部
３、回転部材
４、回転軸
５、伸縮部材
６、引き張り部材
７、足掛け部
８、引き張り部材の巻き付け面
９、伸縮部材の巻き付け面
１０、方向変換部
１１、孔部
１２、切り欠き部
１３、伸縮部材取り付け部
１４、軸部材
１５、脚
１６、カバー
１７、角度
１８、伸縮部材を巻き付ける回転部材
１９、任意の箇所一点
２０、紐
【図１】
2010022781.tif 000003
【図２】
2010022781.tif 000004
【図３】
2010022781.tif 000005
【図４】
2010022781.tif 000006
【図５】
2010022781.tif 000007
2010022781.tif 000008
【図６】
2010022781.tif 000009
【図７】
2010022781.tif 000010
【図８】
2010022781.tif 000011
【図９】
2010022781.tif 000012
【手続補正書】
【提出日】平成20年9月26日(2008.9.26)
【手続補正１】
【補正対象書類名】明細書
【補正対象項目名】全文
【補正方法】変更
【補正の内容】
【発明の詳細な説明】
【技術分野】
【０００１】  本発明は足腰の筋肉を鍛えるための筋肉トレーニング器に関する。
【背景技術】
【０００２】従来、足腰の筋肉を鍛え腹回りの贅肉を取り、スリムになる為の器具は色々提供されている。其の中にはツイスト運動を伴う足踏み運動器具や室内で使用する自転車のペダル漕ぎや椅子状のものに座りそれを機械で揺り動かす器具等があるが、それらの器具は運動の範囲が限定されるものが多く、効果を十分に発揮できるものはなかった。又、ゴム紐状の部材の先端部に取っ手を取り付け、それを手で引き張るものや、本発明者が出願した特願２００５−２５７０２１で示す様な、ゴム紐状の部材の先端に足を掛ける足掛け部を形成し、それを足で引き張る器具も公知であるが、ゴム紐状の部材を使用すると。ゴム紐状の部材が切れた際に、その跳ね返りが使用者又は周囲に当たる恐れがあり安全性に問題があった。
【発明が解決しようとする課題】
【０００３】  本発明においては従来の器具に比べて、筋肉の運動範囲を広げ、且つ安全性を有して使用できることを課題とする。
【課題を解決するための手段】
【０００４】  上記課題を解決する為に、本発明は次ぎの如き筋肉トレーニング器を提供する。
１、上面に足を乗せる足置き部を有する足置き部材の任意の箇所に、回転機能を有する回転部材を取り付ける。該回転部材には或る長さを有する紐状又は帯状又は管状又は其の他の形状の、柔軟性と伸縮性を有する伸縮部材と、或る長さを有する紐状又は帯状又は管状又は鎖状又は其の他の形状の、柔軟性を有する引き張り部材が直接又は間接に取り付けられている。そして、回転部材に取り付けられていない方の伸縮部材は足置き部材に直接又は間接に取り付けられており、回転部材に取り付けられていない方の引き張り部材の先には足の裏又は甲を掛ける手段を有する、足掛け部が形成されている。そして、回転部材には引き張り部材を巻き付ける為の、巻き付け面が連続的又は断続的に環状又は環の或る部分を成して形成されている。そして更に、該回転部材又は足置き部材には伸縮部材を巻き付ける為の、巻き付け面が連続的又は断続的に環状又は環の或る部分を成して形成されていることを特徴とする筋肉トレーニング器。
２、足置き部材において、回転部材から足掛け部の間には引き張り部材を宛がう面を有し、引き張る方向を変換する際に支点となる、方向変換部が形成されていることを特徴とする上記第１項に記載の筋肉トレーニング器。
３、方向変換部を足置き部材に孔部を形成したことを特徴とする上記第２項に記載の筋肉トレーニング器。
４、足置き部材又は引き張り部材を取り付けた回転部材に更なる回転部材を取り付け、其の外側面を伸縮部材の巻き付け面としたことを特徴とする上記第１〜３項に記載の筋肉トレーニング器。
５、回転部材が、軸部材の外側を囲み、其の内側面が軸部材の外側周囲を擦って動く構造であることを特徴とする上記第１〜４項のいずれかに記載の筋肉トレーニング器。
６、引き張り部材を巻き付ける面の巻き付ける方向と伸縮部材の巻き付け面の巻き付ける方向で成す角度が平面上で３０度以下であることを特徴とする上記第１〜５項のいずれかに記載の筋肉トレーニング器。
７、少なくとも伸縮部材及び引き張り部材及び回転部材及び伸縮部材の巻き付け面を足置き部材の裏側に配置し、引き張り部材を足置き部材の表側に引き出し、その先に足掛け部を形成したことを特徴とする上記第１〜６項のいずれかに記載の筋肉トレーニング器。
８、足置き部材において伸縮部材を宛がう面を有し、伸縮部材の伸縮方向を変換する支点となる方向変換部を形成したことを特徴とする上記第１〜７項のいずれかに記載の筋肉トレーニング器。
９、方向変換部を回転部材で形成したことを特徴とする上記第１〜８項に記載の筋肉トレーニング器。
１０、足掛け部において、その先端部に湾曲面を形成して、足の裏又は甲を掛ける手段としたことを特徴とする上記第１〜９項のいずれかに記載の筋肉トレーニング器。
１１、足掛け部において、その先端部の少なくとも一部に幅が３０ｍｍ以上の帯状の面を形成し、足の裏又は甲を掛ける手段としたことを特徴とする上記第１〜１０項のいずれかに記載の筋肉トレーニング器。
１２、或る長さを有する紐状又は帯状又は管状又は鎖状又は其の他の形状の柔軟性と伸縮性を有する、更なる伸縮部材を足置き部材に直接又は間接に取り付け、該伸縮部材に或る長さを有し、且つ柔軟性を有する筒状又は袋状のカバーを取り付けたことを特徴とする上記第１〜１１項のいずれかに記載の筋肉トレーニング器。
１３、伸縮部材を環状にして、端部を足置き部材に直接又は間接に固定したことを特徴とする上記第１２項に記載の筋肉とレーニング器。
１４、伸縮部材をゴム材で形成したことを特徴とする上記第１〜１３項のいずれかに記載の筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものではない。
【０００６】  図１は本発明の一態様に係る筋肉トレーニング器の形態を示す斜視図（ａ）と構造を示す平面図（ｂ）と断面図（ｃ）である。図１に示す筋肉トレーニング器は上面に足を乗せる足置き部２を有し、他の構成部材を取り付ける台座となる足置き部材１の上面に回転部材３が回転軸４を有して取り付けられている。そして、回転部材３にはある長さを有する紐状の柔軟性と伸縮性を有する伸縮部材５と或る長さを有する紐状の柔軟性を有する引き張り部材６が取り付けられている。伸縮部材５の他片側は足置き部材１に取り付けられており、引き張り部材６の他片側には足を掛けて引き張る為の足掛け部７が形成されている。更に回転部材３には其の周囲に引き張り部材６を巻き付ける為の引き張り部材の巻き付け面８（以下において巻き付け面８とだけ記する場合がある）が形成されており、更に回転部材３には伸縮部材５を巻き付ける為の伸縮部材の巻き付け面９が（以下において巻き付け面９とだけ記する場合がある）回転軸４の方向に或る間隔をずらして形成されている。そして足置き部材１には引き張り部材６の伸縮方向を変換する際に支点となる方向変換部１０が足掛け部７の手前に形成してある。以上が本発明の筋肉トレーニング器の構造である。
【０００７】  これを使用するには、回転部材３に取り付けた伸縮部材５を足置き部材１との間で適度に軽く引き張っておき、其の状態で引き張り部材６を巻き付け面８に、伸縮部材５を引き張る方向に巻き付け、足掛け部７を足置き部材１に近づける。図１（ａ）では引き張り部材６は回転部材３の周囲に弛んで置かれた形で示されているが、これは引き張り部材６を明記する為であり、実際は図（ｂ）で示す様に、回転部材３の周囲に巻き付けられるものである。この状態で足置き部材１の上部面の足置き部２に足を乗せ、足掛け部７に足を掛け任意の方向に引き張る。引き張る際、方向変換部１０が支点となって回転部材３が回転し、伸縮部材５を引き伸ばす。引き伸ばされた伸縮部材５は伸縮部材の巻き付け面９に巻き付けられる。伸縮部材５が巻き付けられる際に張力が生じ、引き張る力と成る訳である。図１では方向変換部１０が形成された図となっている。方向変換部１０が無くても基本的には引き張ることは可能であるが、方向変換部１０を形成することにより運動範囲を広げることができるのである。この器具を使用することで、従来の器具ではできなかった足腰の色々な部分のトレーニングを可能とするものである。引き伸ばす距離は引き張リ部材６の巻き付けた長さと伸縮部材５の長さと伸び率と足の力によって決定される。使用上の長さに就いては経験的に決定されて良い。又、伸縮部材５が足置き部材１の内側に配置されているので、伸縮部材５が切れた際の跳ね返りの範囲が、特願２００５−２５７０２１の引き張り部材６を引き伸ばす方法に比較して、より小さくなり、安全な器具として使用することができる。実施上、足置き部材１の裏側に伸縮部材５を配置すればより安全なものとなるが、これに係る態様は後記する。
【０００８】  次ぎに各部分の詳細に就いて説明する。図１において、足置き部材１は少なくとも、足を乗せる足置き部２及び回転部材３及び伸縮部材５及び方向変換部１０を取り付けるための台座となるものである。図１においては板状部材で形成されているが、その他の形状でも構わない。又、大きさに就いては、図１に示す様に少なくとも足を乗せる足置き部２と回転部材３と伸縮部材５と引き張り部材６と方向変換部１０が配置、形成できるものであれば良い。形状及び材質及び寸法は任意であるが、実施上、材質は軽金属又はプラスチック又は硬質のゴム材などが好ましい。又、複数の材質を複合させたものでも良い。寸法に就いては、実施上、縦が３０ｃｍ以上で横が２０ｃｍ以上、高さは１０ｃｍ以下程度が好ましい。又、折り畳みができる構造又は分割できる構造でも良い。
【０００９】  次ぎに足置き部２であるが、足置き部材１の上において、足を乗せ、且つ本筋肉トレーニング器を使用する広さを有する部分はどこでも足置き部２と見なすことができる。図１では本筋肉トレーニング器を使用した際の一例を示しているが、限定する必要はない。広さは任意であり、複数箇所でも良い。実施上は、足置き部２は縦横１０ｃｍ以上の広さを有していることが好ましい。１０ｃｍとは足の幅のおおよその寸法であり、乗って運動するには少なくともこれ以上の広さを有していることが好ましい。材質も任意であるが、実施上は足置き部材１と同じで良い。又、表面に滑り止めの細かい凹凸や指圧用の突起を形成しても良い。
【００１０】  次ぎに回転部材３に就いて説明すれば、回転部材３は足置き部材１に軸部材１４を介して取り付けられる。軸部材１４又は軸受け部材（軸部材１４と接している部分のため図示してはいない）は足置き部材１又は回転部材３のどちらに形成されていても構わない。図１においては図（ｃ）に示す様に、回転軸４を形成する軸部材１４は足置き部材１から伸長させた構造となっている。又、他部材を軸部材１４として、足置き部材及び回転部材３に軸受け部を形成しても構わない。軸部材１４と軸受け部材との取り合いは任意である。又、図１の回転部材３は円盤の形をした板状の部材で形成されているが、円形である必要はなく、回転軸４の周囲に或る広さを有した部材であれば良い。但し、実施上は円形が好ましい。又、回転軸４は偏心していても構わない。大きさに就いては経験的に決定されて良いが、実施上は差し渡しが１５〜３０ｃｍ程度が好ましい。又、材質も任意である。実施上、回転部材３はプラスチック又は金属等の硬質の部材で形成することが好ましい。軸受け部材は金属製のベアリングを使用しても良いし、又は摩擦係数の小さなフッ素樹脂等の部材を軸部又は／及び軸受け部のどちらかに取り付けて擦り合わせる構造でも良い。又、図１では回転部材３は其の外側周囲に引き張り部材６の巻き付け面８を形成している。実施上、巻き付け面８の幅は１０ｍｍから２０ｍｍ程度を有することが好ましい。又、図１では回転部材３の縁部分には引き張り部材の巻き付け面８から内側に少し間隔を有して伸縮部材の巻き付け面９が形成されている。巻き付け面８と巻き付け面９に就いては後記で説明する。
【００１１】  次ぎに引き張り部材６と巻き付け面８について説明する。回転部材３の外側面に、或る長さを有する紐状で且つ柔軟性を有する引き張り部材６が取り付けてある。取り付け面は回転部材３の外側周囲を環状に伸長して形成されており、其の面に引き張り部材６が巻き付けられる巻き付け面８が形成されている。この面に引き張り部材６を巻き付け、足置き部材１に形成した方向変換部１０を支点としてその先に形成された足掛け部７に足を掛けて引くことに依り、回転部材３に回転運動を生じさせることができ、そのことに依り伸縮部材５を引き張り、張力を生じさせることができるのである。図１では巻き付け面８は回転部材３の外側に円形に形成された形態を示しているが、円形である必要はなく、外形が環状の場合、多角形や楕円形でも良い。又、引き張り部材の長さが短い場合には、環の或る部分を有していれば巻き付ける長さが足りる為、環の一部分であっても構わない。実施上引き張り部材６の長さは１ｍから２ｍ程度で太さは５ｍｍ程度あれば良い。又、複数本を取り付けても良い。又、引き張り部材６の回転部材３への取り付け箇所は任意であり、巻き付け面８に巻き付けることができれば良い。又、巻き付け面８の表面は平坦である必要は無く、実施上、引き張リ部材６がずれないように断面の中央を凹形にすると良い。
【００１２】  次ぎ伸縮部材５と伸縮部材の巻き付け面９に就いて説明すれば、伸縮部材５は本筋肉トレーニング器の足掛け部７を引き動かした際、其の張力を生み出す部材である。図１において伸縮部材５は回転部材３の縁の部分に片側を取り付け、他片側を足置き部材１に取り付けた形態で示されている。図１では或る長さを有する紐状の部材で示されているが、紐状の他に帯状又は管状又は鎖状などの形状で柔軟性と伸縮性を有する部材が選択できる。実施上はチューブ状のゴム材などが好ましい。長さ及び太さに就いては実施上、長さ５０ｃｍから１ｍ程度で太さ１０ｍｍ以下程度が好ましい。図１では回転部材３から足置き部材１まで直線的に配置しているが、伸縮部材５の途中に方向変換部１０を形成し、それに宛がい、途中を曲げて配置しても良い。又、ゴムの伸び率は伸びていない時の長さを１とすると、伸びた際に２程度になることが好ましい。次ぎに巻き付け面９に就いて説明すれば、巻き付け面９は回転部材３が回転した際に引き伸ばされた伸縮部材５を巻き付ける部分である。図１では回転部材３の縁から回転軸４の方向に少し距離を置いた所に環状に形成されている。外形が環状の場合、実施上は円形が好ましいが、特に円形である必要は無い。又、伸縮部材５の巻き付ける長さに依って、巻き付け面９の長さが決まるので、環状で無くてはならない必要も無く、環の或る部分を形成するものでも良い。又、巻き付け面９は環の外側を向いていることが好ましい。又、巻き付け面９は滑りを有する方が伸縮部材５の伸びを促進できるので、表面に摩擦係数の小さなフッ素樹脂でできた板材等を取り付けても良い。又、回転部材３における伸縮部材５と巻き付け面９との位置関係は、実施上は巻き付け面９の上側に取り付け部分が位置することが好ましい。又、巻き付け面９の回転部材３への取り付け箇所は任意であり、軸部又は軸受け部から部材を伸長させて形成しても良い。又、回転部材３に他の部材を介して形成されていても良い。その場合、巻き付け面９が回転部材３に繋属していれば回転部材３に形成されたものと見なすことができる。本実施態様では巻き付け面９は回転部材３に形成されているが、足置き部材１に形成することもできる。この態様に就いては後記する。
【００１３】  又、上記引き張り部材の巻き付け面８と伸縮部材の巻き付け面９の位置関係に就いて説明すると、図１においては巻き付け面８と巻き付け面９とは互いを区分するために段差を付けた形態としているが、実施上、二つが同一平面を成していても構わない。但し、相互に巻き付けが交叉しない様に、その間に何らかの区分をすることがより好ましい。更に、巻き付け面８と巻き付け面９とは巻き付け方向を平行にして形成されることが好ましい。然し、或る角度１７を有していても巻き付けることができれば良い。実施上、その交叉角度１７は３０度以内が好ましい。又、二つの巻き取り面の間隔は任意である。この点に就いては図２の平面図で示す。
【００１４】  次ぎに方向変換部１０であるが図１ではＵ字形の部材を足置き部材１に取り付けて、これに引き張リ部材６を通した形態を示している。使用する際、この方向変換部１０の面に引き張り部材６を宛がい、方向変換をする際の支点として使用することで、この箇所を運動の基点とすることができ、無い場合に比べ安定した引き張り運動をすることができる。又、方向変換部１０は方向を変換する機能を有するため、或る方向だけに対し方向を変換できるものでも方向変換部と見なすことができる。図１においてはＵ字形の部材を足置き部材１の上面に取り付けた形態であるが、これは足置き部材１に孔部１１を形成したものとも云うことができる。孔部１１は足置き部材１自体に孔を形成しても良いし、別部材で形成されても良い。方向変換部１０の種々の実施態様に就いては図３で下記に示すが、例えば棒状の形態等がある。棒状の形態でも其の側面に引き張り部材６を宛がい引き張ることで引き張る方向を変換できるからである。足置き部材１に形成され、引き張り部材６を宛がって方向を変換できる面を有するものは全て方向変換部１０と見なすことができるが、実施上は環状の形態を有する、孔などが好ましい。孔を通した場合には３６０度の方向変換が可能になるからである。又、方向変換部１０を回転部材で形成しても良い。
【００１５】  次ぎに足掛け部７に就いて説明する。本態様では引き張り部材６の先に足の裏又は甲を掛ける手段を有する足掛け部７を形成することを要件としている。図１では該足掛け部７は環状で且つ帯状の部材で形成されている。この態様では足掛け部７を環状で且つ帯状に形成することで足を掛ける手段としている。この中に足先を入れて、環の先端部（本発明では先端部を、足掛け部においてその最先端部から左右其々７５ｍｍの範囲とする）の湾曲面に足の裏又は甲に掛け、任意の方向に引き張ることで筋肉トレーニングをすることができる。実施上、環の大きさは差し渡しが少なくとも１０ｃｍ以上で、少なくとも先端部に３０ｍｍ以上の幅の帯状の面を有していることが好ましい。この場合、３０ｍｍ以上の部分の長さは任意であるが実施上１００ｍｍ程度を有することが好ましい。ここで云う幅とは足掛け部材７に足先を入れる方向の長さを云う。幅が狭いと、引き張った際の張力を、足の先で部分的に受けざるを得ず、掛けた部分を圧迫する不具合が生じるからである。幅を広くすれば、圧力を分散できるので好ましい。又、材質は柔軟性を有するものが好ましい。又、足掛け部７は引き張り部材６から取り外せる構造であっても良い。又、足掛け部７は引き張リ部材６に直接に取り付けられていても良いし、他の部材、例えば環状のリングなどのジョイント部材等を介して取り付けられていても良い。
【００１６】  図３は本発明に係る筋肉トレーニング器の方向変換部１０に関し、図１以外の実施態様の形態を部分的に示す斜視図（ａ）と（ｂ）と（ｃ）と（ｄ）と（ｅ）である。図３（ａ）は方向変換部１０を棒状の部材で形成したものである。図（ｂ）は棒状部材を湾曲させて形成したものである。図（ｃ）は部材に孔を開けて孔部１１に形成したものである。図（ｄ）は部材の端部を切り欠いて切り欠き部１２に形成したものである。これらの形態において、棒状部材の側面又は孔部１１の内側面又は切り欠き部１２の内側面が方向変換部１０となり、引き張り部材６を棒状部材又は孔部１１または切り欠き部１２の面に宛がうことにより方向を変換するものである。又、図（ｅ）で示す様に方向変換部１０を回転部材で形成しても良い。図（ｅ）は棒状の部材の外側に筒状の回転する部材を差し込んだ図である。この様にすると方向変換の際、引き張りが容易になる。更には、棒状の回転部材を交叉させても良い。
【００１７】  図４は本発明に係る筋肉トレーニング器の別の態様の構造を示す平面図（ａ）と断面図（ｂ）である。図４に示す筋肉トレーニング器は伸縮部材５を巻き付ける為の、巻き付け面９を足置き部材１に形成した構造を示す。図４では回転部材３が上側に配置されており、回転部材３の左下側に伸縮部材取り付け部１３が形成されている。そして回転部材３の下側の足置き部材には伸縮部材５を巻き付ける、巻き付け面９が形成されている。この様に形成しても、回転部材３を回転させて伸縮部材５を引き張った際、前記で説明した回転部材３に形成した場合と同様に、伸縮部材５を巻き付けることができる。但しこの場合、伸縮部材５との間の摩擦を減じる為に、表面に摩擦係数の小さなフッ素樹脂の板材を取り付けると良い。又、足置き部材１に他の部材を介して形成されていても、巻き付け面９が足置き部材１に繋属し固定されていれば、巻き付け面９は足置き部材１に形成されたものと見なすことができる。
【００１８】  図５は本発明に係る筋肉トレーニング器の別の態様の構造の一部分を示す平面図（ａ）と断面図（ｂ）である。図５（ａ）に示す筋肉トレーニング器は足置き部材１に軸部材１４を形成し、該軸部材１４に２つの回転部材を上下に重ねて取り付け、下側の回転部材３に伸縮部材５と引き張り部材６を取り付け、下側の回転部材３の外周面を引き張り部材の巻き付け面８とし、上側の回転部材１８の外周面を伸縮部材の巻き付け面９とした図である。その断面を図（ｂ）で示す。図（ａ）と（ｂ）で示す様に、巻き付け面９を回転部材１８にすることで、伸縮部材取り付け部１３が伸縮部材５を伸ばす方向に回転した際、巻き付け面９が伸縮部材取り付け部１３の回転とは動きを別にすることで伸縮部材５をスムーズに引き伸ばすことができるのである。この点に就いては、図６（ｃ）と（ｃ′）及び（ｄ）と（ｄ′）で説明する。図６は前記図５で説明した態様に係る内容を更に説明する為の、平面図（ｃ）と（ｃ′）及び（ｄ）と（ｄ′）及び（ｆ）と側面図（ｅ）と断面図（ｇ）である。図（ｅ）はこの態様における巻き付け面８と巻き付け面９と伸縮部材取り付け部１３の位置関係を側面図で示したものである。図（ｅ）では巻き付け面９の上側に伸縮部材取り付け部１３が形成されている。この関係を前提として、図（ｃ）は回転部材が１つの部材で形成されている場合の、巻き付ける以前の伸縮部材取り付け部１３と巻き付け面９上の任意の箇所一点１９の位置関係を示している。この状態では伸縮部材取り付け部１３と回転部材の巻き付け面９の上の任意の箇所一点１９は二つの円周上に並んだ状態になっている。この状態から巻き付けが生じると（ｃ′）の状熊となる。図（ｃ′）において判る様に、伸縮部材取り付け部１３と任意の箇所一点１９の位置関係は図（ｃ）と変わっていない。これは伸縮部材取り付け部１３と任意の箇所一点１９が同一部材であるからである。この構造では縮部材５は巻かれる際、先ず伸縮部材取り付け部１３の下部を頭として巻かれ始め、巻かれるに従って次第に強い張力で其の後方の伸縮部材５が順に引き伸ばされて行くことになり、巻き始めの際の張力の弱い部分で巻かれた伸縮部材５は、巻き付けて張力が強くなるに従い、後方へ引かれて戻り、張力の全体バランスが取られることになるのである。然し乍ら、伸縮部材５を生ゴムなどの摩擦係数の大きな部材で形成した場合、戻りが阻害され、均一に伸びることができない不具合が生じるのである。これに対して図（ｄ）と（ｄ′）では二つの回転部材、即ち回転部材３と回転部材１８の内、回転部材３に伸縮部材５を取り付け、回転部材３を回転部材１８の巻き付け面９に沿わせて回転させる構造となっている。図（ｄ）は巻き付ける以前の状態である。図（ｃ）と外観は同じであるが、軸部材１４を回転部材３と回転部材１９が共に使用していて、其々が個別に回転する構造となっている。巻き付きが生じると図（ｄ′）の状態になるのである。図（ｄ′）では伸縮部材取り付け部１３と任意の箇所一点１９の位置にズレが生じている。この図は、回転部材１８は回転部材３と同じ動きではなく、それ自体で伸縮部材全体の張力のバランスを取る様に自在に回転することを示すものである。そのことに依り、���記に比べてよりスムーズな引き伸ばしが可能となるのである。本態様ではこの作用を利用するものである。又、巻き付け面９における伸縮部材５と巻き付け面９との摩擦を減じると更にスムーズな引き伸ばしが可能となるので、実施上、巻き付け面９即ち回転部材１８を摩擦係数の小さなフッ素樹脂等で形成すると良い。又、図５（ｂ）では回転部材３と回転部材１８が同一の軸部材１４を有した形態で示している。図５（ｂ）では、回転部材１８は軸部材１４が足置き部材１から伸長している構造であるので、この場合、回転部材１８は足置き部材１に形成されたものとする。軸部材１４が回転部材３に有る場合は回転部材３に形成されたものとする。又、回転部材１８が軸部材１４を有する場合は軸受け部材との関係において、どこに形成されたかを区分できる。軸受け部材が足置き部材１に有る場合は、足置き部材１に形成されたものであり、回転部材３に有る場合は回転部材３に形成されたものである。又、回転軸４が同じである必要は無く、図６（ｆ）と（ｇ）で示す様に回転部材１８を回転部材３に回転軸４をずらして取り付けられていても同様の効果は得られる。図（ｆ）の場合は図（ｇ）で判る様に、回転部材１８の軸部材１４が回転部材３から伸長しているので、回転部材１８は回転部材３に取り付けられていると云うことになる。又、回転部材１８が他の部材を介して回転部材３に形成されている場合、それが二者間だけに形成された軸部材１４での繋属であれば回転部材１８は回転部材３に形成されたものと見なすことができる。但し、実施上、構造的には回転軸１４は一箇所であることが簡単なので好ましい。軸部材１４の太さも同一である必要は無い。又、偏心していても良い。又、軸受け部にベアリングを使用しても良いし、軸部材及び／又は軸受け部材を摩擦係数の小さなフッ素樹脂などの部材で形成し擦り合わせても良い。又、巻き付け面９に伸縮部材５が外れない様に側板を形成しても良い。又、図５（ａ）において伸縮部材５は伸縮部材取り付け部１３から足置き部材１に真っ直ぐに伸長して取り付けられているが、実施上は、伸縮部材の巻き付け面９に必要な回数を巻き付けてから足置き部材１に取り付けても良い。この様にすると、伸縮部材５長さを調節できるので、張力を調節することができる。
【００１９】  図７は本発明に係る筋肉トレーニング機の別の態様の構造の一部分を示す平面図である。図７に示す筋肉トレーニング器は伸縮部材５の巻き付け面９を、複数の回転部材１８を伸縮部材５を巻き付ける方向に配置して形成した形態を示す図である。この様にしても段落（００１８）で説明した、更なる回転部材１８を形成したことと同じ効果を得ることができる。実施上。回転部材１８を図７で示す様に環状に三箇所以上形成すると良い。
【００２０】  図８は本発明に係る筋肉トレーニング器の別の態様の構造の一部分を示す平面図（ａ）と（ｃ）と（ｄ）と側面図（ｂ）である。図８は回転部材１８を図５及び図６及び図７で示す形態より厚みを薄くして軸部材１４の外側を囲み、其の内側面が軸部材１４の外側面を擦って動く構造であることを示す。図８（ａ）は回転部材３から成る軸部材１４の外側に或る幅と厚みを有する回転部材１８を被せ軸部材１４と回転部材１８の内側面（点線部分）を、面で擦り合わせて回転させるものである。図（ｂ）はその側面図である。この様にしても回転部材１８は段落（００１８）と（００１９）で述べた回転部材１８と同じ効果を生じさせることができる。この場合、軸部材１４及び／又は回転部材１８を摩擦係数の小さなフッ素樹脂などで形成すると良い。又、軸部材１４と回転部材１８との間に環嬢のフッ素樹脂などを挟んでも良い。この場合、実施上、回転部材１８の幅及び厚さは任意であり、経験的に決定されて良い。図（ａ）では軸部材１４の面が円形の形態であるが、これを図（ｃ）で示す様に、少し楕円のような形状にして、回転部材１８を、柔軟性を有する環状の部材で形成しても良い。回転部材１８が回ることができれば、効果は上記と同じである。この場合、実施上、回転部材１８の内側に、柔軟性を有する薄い環状のフッ素樹脂を重ねて挟んでも良い。図（ｄ）は軸部材１４を囲んで硬質で円形の一部が欠けた形状の回転部材１８を取り付けた図である。この形態においても軸部材１４と回転部材１８の内側面が擦って動く構造となっている。回転部材３が硬質の部材で形成されていれば、この構造でも同じ効果を得ることができる。
【００２１】  図９は本発明に係る筋肉トレーニング器の別の態様の構造を示す平面図（ａ）と断面図（ｂ）である。図（ａ）は本筋肉トレーニング器の裏面を示す平面図である。図８に示す筋肉トレーニング器は足置き部材１に脚１５を付け、裏側に伸縮部材５及び引き張り部材６及び回転部材３及び回転部材１９を配置し、引き張り部材６を足置き部材１に形成した孔部１１から外側に引き出し、その先に足掛け部７を形成した図である。図９においては、回転部材３には引き張り部材の巻き取り面８と伸縮部材の巻き取り面９は回転部材３と回転部材１８で形成されている。勿論、別の態様として、二つの面を一つの回転部材３で成すこともできる。又、本態様において孔部１１の縁の面は方向変換部１０として機能するものである。孔部１１の形成位置及び形状は任意である。この様にすると、足置き部材１の上面を広く使えることと、伸縮部材５を足置き部材１の裏側に配置することで、伸縮部材５が切れた際に、足及び周囲への跳ね返りを防ぐことができ安全性を増すことができる。又、本態様において、裏側とは裏面だけを示すものではなく、足置き部材１の裏面から下側に位置する部分を含むものである。
【００２２】  又、図９に示す様に足置き部材１に伸縮部材５を宛がう面を有し、伸縮部材５の伸縮方向を変換させる方向変換部１０を形成しても良い。図９において方向向変換部１０は段落００１６でせつめいした、回転部材を取り付けた形態となっている。これを形成することにより、伸縮部材５を図９で示す如く、足置き部材１の中で曲げて配置できるので、長い伸縮部材５も方向変換部１０を複数使用することで、足置き部材１の長さを短く形成することができる。方向変換部１０は伸縮部材５を宛がう面を有していれば形状は任意であり、前記の回転部材でなくても良い。棒状の部材を使用しても良い。その場合、表面を摩擦係数の小さなフッ素樹脂等で形成すると良い。棒状の部材に環状のフッ素樹脂を被せ回転できるようにし、回転部材としても良いし、ベアリングを取り付けても良い。
【００２３】  図１０は本発明に係る筋肉トレーニング器の別の態様の形態の一部分を示す立面図（ａ）と（ｂ）と（ｃ）である。図１０は本筋肉トレーニング器に手で引くトレーニングを付加する為に更なる伸縮部材を取り付けたものである。図（ａ）に示す筋肉トレーニング器は足置き部材１に或る長さを有する紐状の柔軟性と伸縮性を有する伸縮部材５を環状に取り付け、その外側に柔軟性を有する筒状のカバー１６を取り付け，上方に引き上げた形態を示す図である。図（ａ）では伸縮部材５の端部の二箇所を足置き部材１に取り付け、環状に形成し、それにカバー１６を取り付けた形態となっている。この様にすると、伸縮部材５が一本切れた際に、切れた伸縮部材５に対してもう一本の伸縮部材５がカバー１６の保持部材となり、切れた伸縮部材５の跳ね返りを防ぐことができ、切れた伸縮部材５が手や周囲のものに当たる危険性を減じることができるのである。又、図（ａ）では伸縮部材５の上部は一本の伸縮部材５にカバー１６が取り付けてあり、その下側になると二本の伸縮部材５を纏めてカバー１６をした形態となっている。この様にすることで上部を把持し易くするものである。又、これに対し、図（ｂ）で示す様に、伸縮部材５の片側だけを足置き部材１に固定しても良い。伸縮部材５の端部が一箇所だけ取り付けられている場合、概伸縮部材５が切れた際にはカバー１６も共に跳ね返るので、それを防ぐ為には伸縮部材５の他に保持部材が必要となる。その方法として図（ｂ）で示す様に、カバー１６を蛇腹状又は太い袋状に形成し、その端を足置き部材１に取り付けると良い。この場合はカバー１６の底部は足置き部材１に取り付けられる。この様にすると、カバー１６が伸縮できるので、カバー１６の内側で伸縮部材５が伸縮し、切れた際はカバー１６の内側が跳ね返りを押さえ防ぐことができるのである。又、図（ｃ）で示す様に、カバー１６の端部と足置き部材１を有る長さを有する紐２０又は帯で接続しても良い。この場合、紐２０の長さは伸縮部材５の伸縮の長さに対応して決定されて良い。この様にすると使用している際にカバー１６の端部が上に上がることを防ぐことができる。紐２０で接続する場合は、伸縮部材５が一本の場合にも適用できる。伸縮部材５の形状は任意であり、紐状又は帯状又は管状など色々選択できる。又、カバー１６の中に入る本数も任意である。又、カバー１６は筒状でも袋状でもどちらでも構わない。太さ及び長さに関しては経験的に決定されて良い。
【００２４】  上記において、本発明の筋肉トレーニング器の各部の好ましい形状及び寸法及び材質に就いて説明したが、上記説明に限定されること無く、形状、寸法、材質は適宜経験的に決定できる。
【発明の効果】
【００２５】  本発明の筋肉トレーニング器によれば足腰の筋肉を、多方向に引き張る運動ができるので、足腰の贅肉を取り筋肉の強化に効果を生じさせることができ、又、安全に使用することができる。
【図面の簡単な説明】
【００２６】
【図１】  本発明の一態様に係る筋肉トレーニング器の形態を示す斜視図（ａ）と構造を示す平面図（ｂ）と断面図（ｃ）である。
【図２】  本発明の一態様に係る筋肉トレーニング器の構造の一部分を示す平面図である。
【図３】  本発明の一態様に係る筋肉トレーニング器の形態の一部分を示す斜視図（ａ）と（ｂ）と（ｃ）と（ｄ）と（ｅ）である。
【図４】  本発明の一態様に係る筋肉トレーニング器の構造の一部分を示す平面図（ａ）と断面図（ｂ）である。
【図５】  本発明の一態様に係る筋肉トレーニング器の構造の一部分を示す平面図（ａ）と断面図（ｂ）である。
【図６】  本発明の一態様に係る筋肉トレーニング器の構造の一部分を示す平面図（Ｃ）と（Ｃ′）と（ｄ）と（ｄ′）と（ｆ）と側面図（ｅ）と断面図（ｇ）である。
【図７】  本発明の一態様に係る筋肉トレーニング器の構造の一部分を示す平面図である。
【図８】  本発明の一態様に係る筋肉トレーニング器の構造の一部分を示す平面図（ａ）と（ｃ）と（ｄ）と側面図（ｂ）である。
【図９】  本発明の一態様に係る筋肉トレーニング器の構造を示す平面図（ａ）と断面図（ｂ）である。
【図１０】  本発明の一態様に係る筋肉トレーニング器の構造の一部分を示す立面図（ａ）と（ｂ）と（ｃ）である。
【符号の説明】
【００２７】１、足置き部材
２、足置き部
３、回転部材
４、回転軸
５、伸縮部材
６、引き張り部材
７、足掛け部
８、引き張り部材の巻き付け面
９、伸縮部材の巻き付け面
１０、方向変換部
１１、孔部
１２、切り欠き部
１３、伸縮部材取り付け部
１４、軸部材
１５、脚
１６、カバー
１７、角度
１８、伸縮部材を巻き付ける回転部材
１９、任意の箇所一点
２０、紐
【手続補正２】
【補正対象書類名】図面
【補正対象項目名】全図
【補正方法】変更
【補正の内容】
【図１】
2010022781.tif 000013
【図２】
2010022781.tif 000014
【図３】
2010022781.tif 000015
【図４】
2010022781.tif 000016
【図５】
2010022781.tif 000017
【図６】
2010022781.tif 000018
【図７】
2010022781.tif 000019
【図８】
2010022781.tif 000020
【図９】
2010022781.tif 000021
【図１０】
2010022781.tif 000022